(57)【要約】      （修正有）【課題】処理の際、薬液及び、パラフィンの付着を均一にする又、容器に蓋体をセットした状態で容器内部の検体を確認できるようにする、又蓋体の開閉を容易にする組織学的試験のための試料収納容器及び蓋体を提供すること。【解決手段】これら課題を解決するために、試料収納容器、内部の区画壁に溝を設ける。試料収納容器、前後内部壁面の上下にＸ軸方向に溝を設ける又、この壁面底部の形状変更によって、容器内の液体及び不純物の排水効率を高める。試料収納容器底面の一部を残し底面を底上げの構造とし他の容器との接触面積を極力すくなくする。試料収納容器の蓋体を容器本体、前後のエアー抜き開口に合わせて、蓋の一部を切除又、開口部を作り容器本体の性能を妨げる事のないようにする。【選択図】図１
0003101868.tif 000002
【実用新案登録請求の範囲】
【請求項１】
組織学的試験のための試料収納容器で収納部を有する容器において、前記収納部の区画壁に複数の溝を設け、他の収納部への液体の移動を容易する特徴をもつ組織学的試験のための試料収納容器
【請求項２】
組織学的試験のための試料収納容器において、容器前後に設けた、エアー抜き用開口部と容器内壁面間に上下に独立した排水溝を設けた、さらに、この下部に配置した溝を短縮する為に、壁面底部を改造し排水の効率を高めた構造を特徴とする組織学的試験のための試料収納容器
【請求項３】
前記請求項２に記載の組織学的試験のための試料収納容器において、容器底辺部の１部を残し底上げを設け、請求項２の効率を高めると共に、数回の薬液工程の際、他の容器との隙間を作り薬液処理の効率を高めることを特徴とする組織学的試験のための試料収納容器
【請求項４】
前記請求項１，２に記載の組織学的試験のための試料を収納する収納部を有する容器において、容器本体前後に配置してあるエアー抜け開口部を塞ぐ事のない蓋体の構造である、又蓋後部に容器より蓋の着脱を容易にする開口部を設けた、この開口にピンセット等を挿入する事で容易に取り外す事ができる、又蓋体を耐薬品性に優れた無色透明の材質を採用する事で、容器と蓋体をセットした状態で、内部の検体を容易に確認できる事を特徴とする、組織学的試験のための試料収納容器の蓋体
【請求項５】
前記請求項１・２・４に記載の組織学的試験のための試料収納容器において、容器本体の区画壁の溝と同等の効果持つ溝を、蓋体のリブに容器本体区画壁の溝と重ならない位置に配置した事を特徴とする組織学的試験のための試料収納容器の蓋体
【請求項６】
組織学的試験のための試料を収納する収納部を有する容器において、前記収納部は、工具等により切除可能な区画壁により、より大きな検体を一度に収容可能な特徴を持つ組織学的試験のための試料収納容器験のための試料収納容器用の蓋体
【考案の詳細な説明】
【考案の詳細な説明】
【技術分野】
【０００１】  本発明は、医療等の生物学的検査用顕微鏡標本の作製に使用する組織学的試験のための試料収納容器及びその蓋体に関し、より詳しくは、試料の収納及び液処理の作業性を向上させうる試料収納容器及びその蓋体に関する。
【背景技術】
【０００２】  従来より、特開２００２−２１４０９３号、特開２００１−２９６２２０号、特許第３１５２９６３号並びに特開平８−２８５７４５号の各公報に示されているように、容器の収納部は、一個又は複数に区画されたものが知られている。
これら収納部は、容器の成型加工時に一体成型にて製作されおり、試料の大きさに対応して適度な大きさに変更することは不可能であった。
このため、試験目的、試料の採取方法並びに試料の性質などにより異なる大きさにならざるを得ない試料に対応するには、収納部が異なる大きさ形状の容器を多種準備しておかなければならなかった。
多種類の容器を準備すると、試料の大きさ形状に合わせ選択しなければならない手間が生じ、試験の時間を無駄に長くする問題が生じていた。
又、今までは、蓋体を耐薬品性に優れた無色透明の材質で製造されていない為、容器と蓋体のセット状態において容器内の確認ができない為、不具合を早期に発見できない状態でした。【０００３】  液処理を行った後、次の処理を行うには、処理液を容器より完全に廃棄しなければならないが、収納部の角などに処理液がたまり、これを排除するには、蓋体で閉じたままの容器を振るなどの衝撃を与えて排除していた。
このような衝撃を与えすぎると、試料が破壊されてしまう恐れがあり、処理液を完全に取り除くには、熟練を要していた。又、容器より蓋体を取り外す際、小型容器の為、蓋体の取り外しが困難でした。
【考案が解決しようとする課題】
【０００４】  本考案は、このような実情に鑑み、以下の３課題を解決したものである。
課題１：処理工程の際、薬液及びパラフィンの付着を均一にする又、容器に蓋をセットした状態で容器内部の検体を確認できるようにする、又蓋体の開閉を容易にする組織学的試験のための試料収納容器を提供すること。
課題２：数回行われる、処理液を容易に排除できる試料収納容器用を提供すること。
課題３：収納部の形状・大きさを容易な操作で、変更できる組織学的試験のための試料収納容器を提供すること。
【課題を解決するための手段】
【０００５】  本第一考案は，前記課題１を解決する手段を提供するもので、組織学的試験の試料収納容器において、各検体が区画壁６によって分離されているが、この区画壁６に複数の溝１０５を設ける事により、他の区画３へ、液体のみ移動が可能となり、短時間に容器内部全体に液体を均一に広げる事を特徴とする組織学的試験のための試料収納容器を提供すること。
【０００６】本第二考案は，前記課題２を解決する手段を提供するもので、容器本体１、前後の上下部分の容器内壁面７、８より、エアー抜け開口部１０１，１０２と通じる溝（下側１１０，１１１及び、上側１０３，１０４）を設けた、この溝の効果をさらに高める為に、下側の溝１１０，１１１を配した壁面底部角部分を大きくカット１１２，１１３（カット可能部分）する事で溝を短縮し、エアー抜け開口部１０１，１０２内の容積を増すことを可能とした構造であり、容器内部の残留エアー等を排出でき液体の不均一を防止し短時間に液体を広げることを特徴とする組織学的試験のための試料収納容器を提供すること。
【０００７】  本第三考案は、前記課題１及び２を解決する手段を提供するもので、薬液注入工程は、他の容器と重ねた方法によって行われる為、容器本体１の底面の一部を除き、底面部分４を少なくとも０．２ｍｍ以上の底上げを設ける、第二考案の効率を高めると共に、薬液処理の透孔５の透過性を向上する事を特徴とする組織学的試験のための試料収納容器を提供すること。
【０００８】  本第四考案は、前記課題１及び２を解決する手段を提供するもので、第二考案された構造を妨げる事のないように、容器本体、前後に配置したエアー抜き開口１０１，１０２を妨げない用に、蓋の一部２０２を切除又は開口部２０１を儲け、容器本体の性能を損なう事のない構造、又容器と蓋体のセット状態の蓋体を容易に取り外しする為に、蓋体後部開口部２０４にピンセット等を挿入する事で、蓋体後部が容器より浮き上がり容易に取り外す事ができる。又、蓋体２は耐薬品性に優れた無色透明の材質使用する事で、容器１と蓋体２をセットしたまで容器内部の検体の状態を確認する事ができる特徴とする組織学的試験のための試料収納容器及の蓋体を提供すること。
【０００９】  本第五考案は、前記課題１の問題で本第一考案された容器本体１の効果を蓋体２に持たせている、蓋体リブ２００の一部に溝２０３を複数設け、容器本体の区画壁の溝１０５を設ける事の出来ない部分を、蓋体によってＸ軸方向に容器内部の液体の移動を素早く広げる事ができる組織学的試験のための試料収納容器の蓋体を提供すること。
【００１０】    本第六考案は、前記課題３の問題を本第一考案された容器本体の区画壁６は、溝１０５を設けた事により溝と溝の間に工具等を用い、簡単に区画壁６を切除可能とした為、区画３内の容積を容易に増やす事が可能となり今まで、利用出来なかった大きさの検体を一度に収容可能にできる、構造を特徴とする組織学的試験のための試料収納容器を提供すること。
【考案の効果】
【００１１】  本考案は、以上のように構成することにより、容器本体の区画壁の溝及び蓋体リブの溝を設けるより容器内部の液体の流動性を高め均一に広げる事ができる構造、又容器内部とエアー抜き開口部を排水溝でつなぎ、その空間を最短距離で結ぶ事ができる構造、及び容器底面の底上げ部によって出来る空間スペースにより、容器内部の残留不純物を排除できる構造、又、蓋体後部の開口部にピンセット等を挿入する事で、蓋体の取り外しを容易にした、又、蓋体を耐薬品性に優れた無色透明な材質を使用する事で、容器の蓋体をセットした状態で容器内部の検体の状態を確認でき不具合を未然に防止できる、これらの効果により容器内部のパラフィンの付着が均一に行える用になり検査精度向上に貢献できる構造となった。
又、容器本体の区画壁を容易に切除可能とした為、今まで利用出来ない大きさの検体を一度に収納できる事で、作業効率のアップ及びコストの削減が可能となる試料収納容器である。
【図面の簡単な説明】
【図１】正面図、平面図のＣ−Ｃ断面図、平面図、底面図、左側面図、右側面図、平面図のＡ−Ａ断面図、平面図のＢ−Ｂ断面図、以上の図面は容器と蓋体の結合状態の展開図である。
【図２】本体の正面図、蓋の正面図、本体の平面図、蓋の底面図、本体の左側面図、蓋の右側面図、以上の図面は容器及び、蓋体の展開図である。
【符号の説明】
（１）                  容器
（２）                  蓋体（色は無色透明）
（３）                  区画
（４）                  容器底面底上げ部
（５）                  液透過孔
（６）                  区画壁
（７）                  前、容器内壁面
（８）                  後、容器内壁面
（１０１）              前方エアー抜け開口部２箇所
（１０２）              後方エアー抜け開口部２箇所
（１０３）              前方上部排水溝、複数箇所（図面では５箇所）
（１０４）              後方上部排水溝、複数箇所（図面では４箇所）
（１０５）              区画壁の溝、複数箇所（図面では３０箇所）
（１１０）              後方下部排水溝、複数箇所（図面では２箇所）
（１１１）              前方下部排水溝、複数箇所（図面では７箇所）
（１１２）              壁面底部角カット面（排水溝短縮用）
（１１３）              後部、壁面底部角カット可能面（排水溝短縮用）
（２００）              蓋体リブ
（２０１）              後方、エアー抜け開口２箇所
（２０２）              前方、エアー抜け用蓋の切除部分２箇所
（２０３）              蓋体リブの溝、複数箇所（図面では１２箇所）
（２０４）              蓋体着脱用開口部
【図１】
0003101868.tif 000003
【図２】
0003101868.tif 000004